(57)【特許請求の範囲】
【請求項１】
下面に木質板が取り付けられたキッチンカウンターの上部を台所側とダイニングルーム側とに区画する仕切部材の取付構造であって、
前記仕切部材は、
前記キッチンカウンターの上面にねじ止めされる台座と、
前記台座に装着される仕切板と
を備え、
前記台座には、ねじの軸部を挿通する、ねじの頭部よりも小径のねじ挿通孔を形成し、
前記キッチンカウンターには、その下面側から、下端に鍔部を有する埋込みナットを埋め込むと共に、その埋込みナットに対応する位置における上面側にねじ挿通孔を形成し、
前記台座の前記ねじ挿通孔に軸部を挿通したねじを、前記キッチンカウンターの前記ねじ挿通孔に挿通して前記埋込みナットに螺着することによって、前記台座が前記キッチンカウンターに固定されていることを特徴とする仕切部材の取付構造。
【請求項２】
前記埋込みナットは、鍔部を除く部分における軸方向の長さが、前記キッチンカウンターの板厚の７０％以上の長さを有している請求項１に記載の仕切部材の取付構造。
【請求項３】
下面に木質板が取り付けられたキッチンカウンターの上部を台所側とダイニングルーム側とに区画する仕切部材の取付構造であって、
前記仕切部材は、
前記キッチンカウンターの上面にねじ止めされる台座と、
前記台座に装着される仕切板と
を備え、
前記キッチンカウンターには、その下面側から、下端に鍔部を有する埋込みナットを埋め込み、その埋込みナットの上端部を前記キッチンカウンターの上面から突出させ、
前記台座には、ねじの軸部を挿通する、ねじの頭部よりも小径のねじ挿通孔を形成すると共に、そのねじ挿通孔に対応する位置に、前記キッチンカウンターの上面から突出する前記埋込みナットの上端部が嵌合する凹部を形成し、
前記台座の前記挿通孔に軸部を挿通したねじを、前記埋込みナットに螺着することによって、前記台座が前記キッチンカウンターに固定されていることを特徴とする仕切部材の取付構造。
【請求項４】
前記キッチンカウンターは、前記木質板の下面がステンレス板によって覆われている請求項１、２または３に記載の仕切部材の取付構造。
【請求項５】
前記埋込みナットの前記鍔部が、前記キッチンカウンターの前記木質板の下面から突出しないように、前記木質板の下面に形成された凹部に嵌め込まれており、その凹部が、前記木質板の下面を覆っている前記ステンレス板によって隠蔽されている請求項４に記載の仕切部材の取付構造。
【発明の詳細な説明】
【技術分野】
【０００１】
この発明は、対面式キッチンにおけるカウンターの上部を台所側とダイニング側とに区画する仕切部材の取付構造に関する。
【背景技術】
【０００２】
ダイニングキッチンを台所側とダイニングルーム側とに区画する対面式キッチンは、壁面に沿って配設されるキッチンとは異なり、コンロ等の奥側にダイニングルームが開放されているので、調理する際、コンロに載せられたフライパン等の調理器からダイニングルーム側に油が飛び散ったり、ダイニングルーム側から台所側に気流が発生することに伴い、ガスコンロの火炎が揺れたり、吹き消えたりするおそれがある。このため、図１４に示すように、対面式キッチン５０のカウンター５１には、その上部を、台所Ｋ側とダイニングルームＤ側とに区画する仕切部材５３をコンロ５２の奥側に立設するのが一般的である。
【０００３】
こういった仕切部材５３は、例えば、図１５に示すように、仕切板５４の下端部に下方側に突出する複数のねじ軸５５を固着すると共に、カウンター５１には、ねじ軸５５を挿通するねじ挿通孔５１ａを形成し、図１６に示すように、仕切部材５３のねじ軸５５をカウンター５１のねじ挿通孔５１ａに挿通した状態で、ねじ軸５５にナット５６をねじ込んで締め込むことにより、仕切部材５３をカウンター５１に固定するようになっている。
【先行技術文献】
【特許文献】
【０００４】
【特許文献１】特許第３６５８３５２号公報
【発明の概要】
【発明が解決しようとする課題】
【０００５】
しかしながら、こういった仕切部材５３はある程度の重量を有しているので、上述したように、仕切部材５３のねじ軸５５をカウンター５１のねじ挿通孔５１ａに挿通して、ねじ軸５５にナット５６をねじ込んで締め込むという固定構造を採用した場合、カウンター５１に形成されたねじ挿通孔５１ａ部分はねじ軸５５の保持に寄与しないので、カウンター５１に対する仕切部材５３の十分な固定強度を確保しにくく、特に、カウンター５１の厚みが薄くなると、さらに、固定強度が低下するといった問題がある。
【０００６】
また、カウンター５１におけるコンロ５２等の奥側下部を、例えば、収納空間等としてダイニングルームＤに開放させる場合は、カウンター５１の下面側に突出した仕切部材５３のねじ軸５５やナット５６が露出することになるので、体裁が悪いといった問題もある。
【０００７】
そこで、この発明の課題は、カウンターの厚みを薄くしても十分な固定強度を確保することができ、カウンターにおけるコンロ等の奥側下部をダイニングルーム側に露出させる場合でも、体裁が悪くならない仕切部材の固定構造を提供することにある。
【課題を解決するための手段】
【０００８】
上記の課題を解決するため、請求項１に係る発明は、下面に木質板が取り付けられたキッチンカウンターの上部を台所側とダイニングルーム側とに区画する仕切部材の取付構造であって、前記仕切部材は、前記キッチンカウンターの上面にねじ止めされる台座と、前記台座に装着される仕切板とを備え、前記台座には、ねじの軸部を挿通する、ねじの頭部よりも小径のねじ挿通孔を形成し、前記キッチンカウンターには、その下面側から、下端に鍔部を有する埋込みナットを埋め込むと共に、その埋込みナットに対応する位置における上面側にねじ挿通孔を形成し、前記台座の前記ねじ挿通孔に軸部を挿通したねじを、前記キッチンカウンターの前記ねじ挿通孔に挿通して前記埋込みナットに螺着することによって、前記台座が前記キッチンカウンターに固定されていることを特徴とする仕切部材の取付構造を提供するものである。
【０００９】
また、請求項２に係る発明は、請求項１に係る発明の仕切部材の取付構造において、前記埋込みナットは、鍔部を除く部分における軸方向の長さが、前記キッチンカウンターの板厚の７０％以上の長さを有していることを特徴としている。
【００１０】
また、上記の課題を解決するため、請求項３に係る発明は、下面に木質板が取り付けられたキッチンカウンターの上部を台所側とダイニングルーム側とに区画する仕切部材の取付構造であって、前記仕切部材は、前記キッチンカウンターの上面にねじ止めされる台座と、前記台座に装着される仕切板とを備え、前記キッチンカウンターには、その下面側から、下端に鍔部を有する埋込みナットを埋め込み、その埋込みナットの上端部を前記キッチンカウンターの上面から突出させ、前記台座には、ねじの軸部を挿通する、ねじの頭部よりも小径のねじ挿通孔を形成すると共に、そのねじ挿通孔に対応する位置に、前記キッチンカウンターの上面から突出する前記埋込みナットの上端部が嵌合する凹部を形成し、前記台座の前記挿通孔に軸部を挿通したねじを、前記埋込みナットに螺着することによって、前記台座が前記キッチンカウンターに固定されていることを特徴とする仕切部材の取付構造を提供するものである。
【００１１】
また、請求項４に係る発明は、請求項１、２または３に係る発明の仕切部材の取付構造において、前記キッチンカウンターは、前記木質板の下面がステンレス板によって覆われていることを特徴としている。
【００１２】
また、請求項５に係る発明は、請求項４に係る発明の仕切部材の取付構造において、前記埋込みナットの前記鍔部が、前記キッチンカウンターの前記木質板の下面から突出しないように、前記木質板の下面に形成された凹部に嵌め込まれており、その凹部が、前記木質板の下面を覆っている前記ステンレス板によって隠蔽されていることを特徴としている。
【発明の効果】
【００１３】
以上のように、請求項１に係る発明の仕切部材の取付構造では、キッチンカウンターに、その下面側から、下端に鍔部を有する埋込みナットを埋め込むと共に、その埋込みナットに対応する位置における上面側にねじ挿通孔を形成し、仕切板が装着される台座に形成された、ねじの頭部よりも小径のねじ挿通孔に軸部を挿通したねじを、キッチンカウンターのねじ挿通孔に挿通して埋込みナットに螺着することによって、台座をキッチンカウンターに固定するようにしているので、キッチンカウンターの厚みを薄くしても、キッチンカウンターに対する台座の十分な固定強度を確保することができる。
【００１４】
また、キッチンカウンターの下面には、埋込みナットの鍔部が露出しているだけなので、ねじ軸とそのねじ軸にねじ込まれたナットとが露出する従来の仕切部材の取付構造に比べて体裁がよい。
【００１５】
また、キッチンカウンターに形成されるねじ挿通孔部分は、ねじの保持に寄与していないが、請求項２に係る発明の仕切部材の取付構造では、埋込みナットは、鍔部を除く部分における軸方向の長さが、キッチンカウンターの板厚の７０％以上の長さを有しているので、ねじの保持に寄与していない、キッチンカウンターのねじ挿通孔の長さが短くなると共に、キッチンカウンターに対する埋込みナットの保持力が大きくなり、キッチンカウンターに対する台座の固定強度を大きくすることができる。
【００１６】
また、請求項３に係る発明の仕切部材の取付構造では、キッチンカウンターに、その下面側から埋め込んだ埋込みナットの上端部を、キッチンカウンターの上面から突出させるようにしたので、キッチンカウンターに対する埋込みナットの保持力が大きくなると共に、ねじの保持に寄与していないねじ挿通孔がキッチンカウンターに形成されておらず、キッチンカウンターに対する台座の固定強度をさらに大きくすることができる。
【００１７】
また、台座には、キッチンカウンターの上面から突出する埋込みナットの上端部が嵌合する凹部が形成されているので、台座をキッチンカウンターにねじ止めする際、台座に形成された凹部をキッチンカウンターの上面から突出している埋込みナットの上端部に嵌合させることによって、台座が常に適正位置に位置決めされ、台座のねじ止め作業を効率よく行うことができる。
【００１８】
また、請求項４に係る発明の仕切部材の取付構造では、キッチンカウンターは、木質板の下面がステンレス板によって覆われているので、美感が向上すると共に、埋込みナットの鍔部の上面に接触するステンレス板が座金として機能するので、木質板の下面がつぶれにくく、キッチンカウンターに対する台座の固定強度も大きくなる。
【００１９】
また、請求項５に係る発明の仕切部材の取付構造では、埋込みナットの鍔部が、キッチンカウンターの木質板の下面から突出しないように、木質板の下面に形成された凹部に嵌め込まれており、その凹部が、木質板の下面を覆っているステンレス板によって隠蔽されているので、埋込みナットの鍔部が露出することがなく、さらに、体裁がよい。
【図面の簡単な説明】
【００２０】
【図１】（ａ）はこの発明にかかる仕切部材の取付構造の一実施形態が採用されているシステムキッチンを示す正面図、（ｂ）は同上のシステムキッチンを示す背面図である。
【図２】同上のシステムキッチンを示す平面図である。
【図３】同上のシステムキッチンを示す左側面図である。
【図４】同上のシステムキッチンを構成しているカウンターを示す断面図である。
【図５】（ａ）は同上の仕切部材を示す平面図、（ｂ）は同上の仕切部材を示す分解背面図、（ｃ）は同上の仕切部材を示す分解側面図である。
【図６】（ａ）は同上の仕切部材を構成している台座を示す平面図、（ｂ）は同上の台座を示す正面図、（ｃ）は同上の台座を示す側面図、（ｄ）は同上の台座を示す背面図、（ｅ）は同上の台座を示す底面図である。
【図７】同上の仕切部材の取付構造を示す分解断面図である。
【図８】同上の台座をカウンターに取り付けた状態を示す断面図である。
【図９】カウンターに取り付けた同上の台座に同上の仕切部材を構成している仕切板を装着した状態を示す断面図である。
【図１０】他の実施形態である仕切部材の取付構造に採用されている台座及びカウンターを示す断面図である。
【図１１】同上の仕切部材の取付構造を示す断面図である。
【図１２】他の実施形態である仕切部材の取付構造に採用されているカウンターを示す一部分解断面図である。
【図１３】同上の仕切部材の取付構造を示す断面図である。
【図１４】カウンターに仕切り部材が取り付けられた従来のシステムキッチンを示す斜視図である。
【図１５】同上の仕切り部材のカウンターへの取付部分を示す分解斜視図である。
【図１６】同上の仕切部材のカウンターへの取付構造を示す部分断面図である。
【発明を実施するための形態】
【００２１】
以下、実施の形態について図面を参照して説明する。図１〜図３は、本発明の仕切部材の取付構造を採用したシステムキッチンを示している。このシステムキッチン１は、同図に示すように、ダイニングキッチンを台所Ｋ側とダイニングルームＤ側とに区画するように配設された対面式キッチンであり、シンク３、ガスコンロ４等が装着されるカウンター２と、このカウンター２を支持するステンレス製のベースキャビネット５とを備えている。
【００２２】
前記カウンター２は、図３に示すように、ベースキャビネット５の背板からダイニングルームＤ側に張り出しており、その張出部分は、図４に示すように、ステンレス板からなる天板１１と、この天板１１の下面に固着された、パーティクルボード等からなる補強用の木質板１２と、この木質板１２の下面に貼着されたステンレス板からなる化粧板１３とから構成されている。
【００２３】
また、前記カウンター２には、図１〜図３に示すように、調理する際、ガスコンロ４に載せられたフライパン等の調理器からダイニングルームＤ側に油が飛び散ったり、ダイニングルームＤ側から台所Ｋ側に流れ込む気流の影響により、ガスコンロ４の火炎が揺れたり、吹き消えたりしにくいように、カウンター２の上部を台所Ｋ側とダイニングルームＤ側とに区画する仕切部材６が、ベースキャビネット５からの張出部分のガスコンロ４のダイニングルームＤ側に立設されている。
【００２４】
前記仕切部材６は、図５（ａ）〜（ｃ）に示すように、カウンター２の上面にねじ止めされる左右一対の台座２０と、この台座２０に装着される仕切板３０とから構成されており、仕切板３０は、ステンレス製の角パイプからなる左右一対の支柱３１、３１と、左右一対の支柱３１、３１を連結する、ステンレス製の角パイプからなる上下一対の連結部材３２、３２と、支柱３１、３１及び連結部材３２、３２に支持される、強化ガラスによって形成された遮蔽板３３とから構成されている。なお、支柱３１の内側面には、遮蔽板３３の両側縁を挟持するステンレス製の一対の挟持片３１ａ、３１ａが連設されている。
【００２５】
前記仕切板３０の支柱３１は、その下端部を台座２０に外嵌めすることができるようになっており、支柱３１の下部外側面には、図７に示すように、仕切板３０をねじ止めするための固定ねじ２６の軸部を挿通するねじ挿通孔３１ｂが形成されている。
【００２６】
前記台座２０は、図６（ａ）〜（ｅ）及び図７に示すように、真鍮製の直方体ブロックであり、カウンター２に固定するための固定ねじ２５を挿通するねじ挿通孔２１、２１が前後方向に形成されていると共に、仕切板３０をねじ止めするための固定ねじ２６が螺合するねじ孔２４が背面に形成されている。
【００２７】
前記ねじ挿通孔２１は、固定ねじ２５の頭部より大径の大径部２２と、固定ねじ２５の頭部より小径で、固定ねじ２５の軸部より大径の小径部２３とから構成されており、大径部２２は上面に、小径部２３は下面にそれぞれ開放されている。
【００２８】
前記カウンター２における台座２０のねじ止め位置には、図７に示すように、その下面側から、埋込みナット２７が埋め込まれており、その埋込みナット２７の上部には、天板１１及び木質板１２に、固定ねじ２５の軸部を挿通するねじ挿通孔１１ａ、１２ａが形成されている。
【００２９】
前記埋込みナット２７は、下端に鍔部２７ａを有しており、鍔部２７ａを除く部分における軸方向の長さが、カウンター２の板厚の７０％以上の長さを有している。従って、この埋込みナット２７をカウンター２に埋め込んだ状態では、鍔部２７ａがカウンター２の下面に露出した状態で、埋込み部分がカウンター２の板厚の７０％以上を占めている。
【００３０】
前記仕切部材６をカウンター２に立設するには、まず、図８に示すように、台座２０のねじ挿通孔２１に挿通した固定ねじ２５を、カウンター２のねじ挿通孔１１ａ、１２ａに挿通して、埋込みナット２７にねじ込んで締め付けることで、台座２０をカウンター２に固定する。
【００３１】
続いて、図９に示すように、この台座２０に、仕切板３０の支柱３１の下端部を外嵌めした後、支柱３１に形成されたねじ挿通孔３１ｂに固定ねじ２６を挿通して、台座２０に形成されたねじ孔２４にねじ込んで支柱３１を台座２０に固定すると、仕切部材６のカウンター２への取り付けが完了する。
【００３２】
以上のように、この仕切部材の取付構造では、仕切板３０が装着される台座２０に形成されたねじ挿通孔２１に挿通した固定ねじ２５を、カウンター２に埋め込まれた埋込みナット２７にねじ込んで締め付け、螺着することによって、台座２０をカウンター２に固定するようにしているので、カウンター２（木質板１２）の厚みを薄くしても、カウンター２に対する台座２０の十分な固定強度を確保することができる。
【００３３】
また、カウンター２の下面には、埋込みナット２７の鍔部２７ａが露出しているだけなので、ねじ軸とそのねじ軸にねじ込まれたナットとが露出する従来の仕切部材の取付構造に比べて体裁がよい。
【００３４】
また、カウンター２に形成されるねじ挿通孔１１ａ、１２ａ部分は、固定ねじ２５の保持に寄与していないが、埋込みナット２７は、鍔部２７ａがカウンター２の下面に露出した状態で、埋込み部分における軸方向の長さがカウンター２の板厚の７０％以上を占めているので、ねじの保持に寄与していない、キッチンカウンターのねじ挿通孔の長さが短くなって、カウンター２に対する埋込みナット２７の保持力が大きくなり、カウンター２に対する台座２０の固定強度を大きくすることができる。
【００３５】
また、カウンター２は、木質板１２の下面がステンレス板からなる化粧板１３によって覆われているので、美感が向上すると共に、埋込みナット２７の鍔部２７ａの上面に接触する化粧板１３が座金として機能するので、木質板１２の下面がつぶれにくく、カウンター２に対する台座２０の固定強度も大きくなる。
【００３６】
なお、上述した実施形態では、カウンター２に埋め込まれている埋込みナット２７に対応する位置におけるカウンター２の上面側にねじ挿通孔１１ａ、１２ａを形成しているが、これに限定されるものではなく、例えば、図１０に示すように、長い埋込みナット２７Ａをカウンター２に埋め込んで、その上端部をカウンター２の上面から突出させると共に、台座２０Ａには、カウンター２の上面から突出する埋込みナット２７Ａの上端部が嵌合する凹部２８を形成しておくと、カウンター２に対する埋込みナット２７Ａの保持力が大きくなると共に、固定ねじ２５の保持に寄与していないねじ挿通孔がカウンター２に形成されておらず、カウンター２に対する台座２０Ａの固定強度をさらに大きくすることができる。
【００３７】
また、台座２０Ａをカウンター２にねじ止めする際、図１１に示すように、台座２０Ａに形成された凹部２８をカウンター２の上面から突出している埋込みナット２７Ａの上端部に嵌合させることによって、台座２０Ａが常に適正位置に位置決めされるので、台座２０Ａのねじ止め作業を効率よく行うことができる。
【００３８】
また、上述した各実施形態では、カウンター２に埋め込まれている埋込みナット２７の鍔部２７ａがカウンター２の下面に露出しているが、これに限定されるものではなく、例えば、図１２に示すように、カウンター２を構成している木質板１２の下面側に、埋込みナット２７の鍔部２７ａが完全に嵌り込む凹部１２ｂを形成しておき、図１３に示すように、その凹部１２ｂに鍔部２７ａを嵌め込んだ状態で、埋込みナット２７を木質板１２に埋め込み、凹部１２ｂを隠蔽するように、ステンレス板からなる化粧板１３を木質板１２の下面に貼着しておくと、埋込みナット２７の鍔部２７ａが露出することがなく、さらに、体裁がよくなる。
【００３９】
また、上述した実施形態では、仕切部材６をガスコンロ４の後側に配設しているが、これに限定されるものではなく、例えば、シンク３に後側に配設しておくと、シンク３からダイニングルームＤ側への湯水の飛び散りを阻止することができる。
【００４０】
また、上述した実施形態では、カウンター２におけるシンク３やガスコンロ４等の奥側下部を、例えば、収納空間等としてダイニングルームＤに開放させる場合について説明したが、これに限定されるものではなく、こういった空間がキャビネットの背板によって閉塞されていてもよいことはいうまでもない。
【産業上の利用可能性】
【００４１】
ダイニングキッチンを台所側とダイニングルーム側とに区画する対面式キッチンに仕切部材を取り付ける場合に利用することができる。
【符号の説明】
【００４２】
１  システムキッチン
２  カウンター（キッチンカウンター）
３  シンク
４  ガスコンロ
５  ベースキャビネット
６  仕切部材
１１  天板
１１ａ  ねじ挿通孔
１２  木質板
１２ａ  ねじ挿通孔
１２ｂ  凹部
１３  化粧板
２０、２０Ａ  台座
２１  ねじ挿通孔
２２  大径部
２３  小径部
２４  ねじ孔
２５、２６  固定ねじ（ねじ）
２７、２７Ａ  埋込みナット
２７ａ  鍔部
２８  凹部
３０  仕切板
３１  支柱
３１ａ  挟持片
３１ｂ  ねじ挿通孔
３２  連結部材
３３  遮蔽板
【図１】
0005508928.tif 000002
【図２】
0005508928.tif 000003
【図３】
0005508928.tif 000004
【図４】
0005508928.tif 000005
【図５】
0005508928.tif 000006
【図６】
0005508928.tif 000007
【図７】
0005508928.tif 000008
【図８】
0005508928.tif 000009
【図９】
0005508928.tif 000010
【図１０】
0005508928.tif 000011
【図１１】
0005508928.tif 000012
【図１２】
0005508928.tif 000013
【図１３】
0005508928.tif 000014
【図１４】
0005508928.tif 000015
【図１５】
0005508928.tif 000016
【図１６】
0005508928.tif 000017